(57)【要約】【課題】シートの取出し性に優れるシートディスペンサーを提供すること。【解決手段】複数枚のシートが折り畳まれてポップアップ式に引き出せるように積層されたシート積層体を収容する本体部を有し、前記本体部が、上下方向の下方に設けられた底面と、前後方向の前方に設けられて前記底面に連続する正面と、前記前後方向の後方に設けられて前記正面と対向しかつ前記底面に連続する背面とを有し、前記シート積層体の積層方向が、前記前後方向であるシートディスペンサーであって、前記正面の前記底面寄りに設けられて前記シートが取り出される取出部と、前記底面に設けられて前記底面の少なくとも一部が前記前後方向に傾斜してなる傾斜部とを有する、シートディスペンサー。【選択図】図２
2019176976.tif 000002
【特許請求の範囲】
【請求項１】
複数枚のシートが折り畳まれてポップアップ式に引き出せるように積層されたシート積層体を収容する本体部を有し、
前記本体部が、上下方向の下方に設けられた底面と、前後方向の前方に設けられて前記底面に連続する正面と、前記前後方向の後方に設けられて前記正面と対向しかつ前記底面に連続する背面とを有し、
前記シート積層体の積層方向が、前記前後方向であるシートディスペンサーであって、
前記正面の前記底面寄りに設けられて前記シートが取り出される取出部と、
前記底面に設けられて前記底面の少なくとも一部が前記前後方向に傾斜してなる傾斜部とを有する、シートディスペンサー。
【請求項２】
前記傾斜部が、前記正面から前記背面に向かって下降する傾斜面を有する、請求項１に記載のシートディスペンサー。
【請求項３】
前記傾斜部が、前記背面から前記正面に向かって下降する傾斜面を有する、請求項１に記載のシートディスペンサー。
【請求項４】
前記傾斜部が、前記傾斜面の傾斜角度を変える角度可変部を有する、請求項２または３に記載のシートディスペンサー。
【請求項５】
請求項１乃至４のいずれか１項に記載のシートディスペンサーに着脱可能に取り付けられて、前記傾斜部を構成する、シートディスペンサー用アタッチメント。
【発明の詳細な説明】
【技術分野】
【０００１】
本発明は、シートディスペンサー及びシートディスペンサー用アタッチメントに関する。
【背景技術】
【０００２】
従来のシートディスペンサーは、ペーパータオル等のシートが収容され、室内の壁等に設置されて使用される。このようなシートディスペンサーには、複数枚のシートがポップアップ式に引き出されるようにディスペンサーの背面から正面に向かって積層された状態で、ディスペンサーの正面に設けられた取出口からシートが引き出されるものがある。また、ディスペンサーに収容されるペーパータオルには、厚くて硬い１枚の紙で構成されたシングルタイプと薄くて柔らかい２枚の紙が重ねられたダブルタイプがある。
【０００３】
例えば、特開平１１−７６０９７号公報（特許文献１）には、ハウジングケース部材と、ペーパータオル等を収納する載置部とを備え、載置部にペーパータオルを折り目を上下にして立て掛けるように載置するペーパータオルディスペンサーが開示されている。
【先行技術文献】
【特許文献】
【０００４】
【特許文献１】特開平１１−７６０９７号公報
【発明の概要】
【発明が解決しようとする課題】
【０００５】
しかしながら、従来のシートディスペンサーでは、シートが引き出される途中で、数枚のシートがまとめて引き出されたり、シートがディスペンサー内に落ち込むことがある。例えば、ディスペンサー内でシートの残量が少なくなると、シートが正面側または背面側に倒れるが、シートがシングルタイプの場合は、シート積層体が正面側に倒れると引き出されるシートがたるんでディスペンサー内に落ち込む傾向がある（図９参照）。また、シートがダブルタイプの場合は、シートが正面側に倒れると、引き出されるシートが取出口付近でシート積層体によって押さえ付けられて、数枚のシートがまとめて引き出される傾向がある（図１０参照）。このように、従来のシートディスペンサーは、シートの取出し性に問題がある。
【０００６】
本発明の目的は、シートの取出し性に優れるシートディスペンサー及びシートディスペンサー用アタッチメントを提供することにある。
【課題を解決するための手段】
【０００７】
本発明に係る第１の態様は、複数枚のシートが折り畳まれてポップアップ式に引き出せるように積層されたシート積層体を収容する本体部を有し、前記本体部が、上下方向の下方に設けられた底面と、前後方向の前方に設けられて前記底面に連続する正面と、前記前後方向の後方に設けられて前記正面と対向しかつ前記底面に連続する背面とを有し、前記シート積層体の積層方向が、前記前後方向であるシートディスペンサーであって、前記正面の前記底面寄りに設けられて前記シートが取り出されると、前記底面に設けられて前記底面の少なくとも一部が前記前後方向に傾斜してなる傾斜部とを有する、シートディスペンサーを提供する。
【０００８】
ここで「正面の底面寄り」とは、正面の上下方向の中央より下方側を示す。また、「底面の少なくとも一部が前後方向に傾斜する傾斜部」とは、本体部の底面の一部または全部が、本体部の正面から背面に向かって傾斜する傾斜部であることを示す。なお、傾斜部には、傾斜部の表面が本体部の正面から背面に向かって下降するように傾斜する場合と、背面から正面に向かって下降するように傾斜する場合とが含まれる。
【０００９】
第１の態様では、シートが本体部の前後方向に積層されるようにシート積層体がシートディスペンサーに収容された状態で、このような傾斜部が、本体部の底面の少なくとも一部を構成してシートディスペンサーの前後方向に傾斜するように設けられている。このような構成により、シートの取出し性に優れるシートディスペンサーを提供することができる。
【００１０】
具体的には、硬めのシートに対しては、本体部の正面から背面に向かって下降するように表面が傾斜する傾斜部を採用することで、ディスペンサー内でシートの残量が少なくなっても、シート積層体が正面側に倒れ、シート積層体は傾斜部によって支えられる。これにより、シートが硬めの場合でも、ディスペンサー内にシートが落ち込むことを抑制することができる。
【００１１】
また、柔らかめのシートに対しては、本体部の背面から正面に向かって下降するように表面が傾斜する傾斜部を採用することで、ディスペンサー内でシートの残量が少なくなっても、シート積層体は背面側に倒れるため、引き出されるシートが取出部付近でシート積層体によって押さえ付けられることはない。これにより、シートが柔らかめの場合でも、数枚のシートがまとめて引き出されることを抑制することができる。
【００１２】
このように、第１の態様によれば、ディスペンサー内にシートが落ち込むことを抑制することができ、また、数枚のシートがまとめて引き出されることを抑制することができるため、シートの取出し性に優れるシートディスペンサーを提供することができる。また、このようなシートの取出し性に優れるシートディスペンサーを、シートの形態や種類に応じて提供することができる。
【００１３】
本発明に係る第２の態様は、前記傾斜部が、前記正面から前記背面に向かって下降する傾斜面を有する、シートディスペンサーを提供する。このような構成により、第２の態様では、本体部の正面から背面に向かって下降するように傾斜部の表面を傾斜させることができる。そのため、このような傾斜部を有するシートディスペンサーは、ディスペンサー内でシートの残量が少なくなると、ディスペンサー内にシートが落ち込み易い傾向がある硬めのシートに適用することができる。
【００１４】
本発明に係る第３の態様は、前記傾斜部が、前記背面から前記正面に向かって下降する傾斜面を有する、シートディスペンサーを提供する。このような構成により、第３の態様では、本体部の背面から正面に向かって下降するように傾斜部の表面を傾斜させることができる。そのため、このような傾斜部を有するシートディスペンサーは、ディスペンサー内でシートの残量が少なくなると、数枚のシートがまとめて引き出される傾向がある柔らかめのシートに適用することができる。
【００１５】
本発明に係る第４の態様は、前記傾斜部が、前記傾斜面の傾斜角度を変える角度可変部を有する、シートディスペンサーを提供する。このような構成により、第４の態様では、傾斜面の傾斜角度を変えることができるため、傾斜部の表面（傾斜面）を、正面から背面に向かって下降する傾斜面にしたり、背面から前記正面に向かって下降する傾斜面にしたりすることができる。これにより、第４の態様では、１つのシートディスペンサーで、形態や種類が異なるシートを使用することができる。
【００１６】
本発明に係る第５の態様は、第１〜第４の態様のシートディスペンサーに着脱可能に取り付けられて、前記傾斜部を構成する、シートディスペンサー用アタッチメントを提供する。第５の態様では、このような傾斜部を構成するシートディスペンサー用アタッチメントを、従来の底面が平らなシートディスペンサーに取り付けることで、従来のシートディスペンサーにおいても、シートの形態や種類に応じて、シートの取出し性に優れるシートディスペンサーを提供することができる。
【発明の効果】
【００１７】
本発明の一態様によれば、シートの取出しが容易なシートディスペンサーを提供することができる。
【図面の簡単な説明】
【００１８】
【図１】本発明の実施形態に係るシートディスペンサーを示す図である。
【図２】本実施形態（第１実施形態）に係るシートディスペンサーを側面から視た断面図である。
【図３】本実施形態（第１実施形態）に係るシートディスペンサーの傾斜部を示す図である。
【図４】本実施形態（第２実施形態）に係るシートディスペンサーを側面から視た断面図である。
【図５】本実施形態（第２実施形態）に係るシートディスペンサーの傾斜部を示す図である。
【図６】本実施形態（第１実施形態）に係るシートディスペンサーの使用状態を示す図である。
【図７】本実施形態（第２実施形態）に係るシートディスペンサーの使用状態を示す図である。
【図８】本実施形態（第３実施形態）に係るシートディスペンサーを側面から視た断面図である。
【図９】従来のシートディスペンサー（シートが硬めの場合）を示す図である。
【図１０】従来のシートディスペンサー（シートが柔らかめの場合）を示す図である。
【発明を実施するための形態】
【００１９】
以下、本発明の実施の形態について、図面を参照しながら詳細に説明する。なお、本明細書では、理解を容易にするため、各図における各部材の縮尺は実際とは異なる場合がある。また、以下に示す説明では、各図において共通する部分については、同一の符号を付して説明を省略する場合がある。
【００２０】
本明細書では、シートディスペンサーの上下方向（高さ方向）の一方を上または上方といい、他方を下または下方という場合がある。また、３軸方向（Ｘ方向、Ｙ方向、Ｚ方向）の３次元直交座標系を用いる。なお、Ｘ方向は、後述するシートディスペンサーの側面が対向する方向（図１の左右方向）であり、Ｙ方向は、Ｘ方向と水平に直交する方向（正面と背面とが対向する方向または前後方向）であり、Ｚ方向は、Ｘ方向とＹ方向とのいずれにも直交する方向（天面と底面とが対向する方向または上下方向）である。
【００２１】
図１は、本発明の実施形態に係るシートディスペンサーを示す図である。図２は、本実施形態（第１実施形態）に係るシートディスペンサーを側面から視た断面図である。図３は、本実施形態（第１実施形態）に係るシートディスペンサーの傾斜部を示す図である。
【００２２】
本発明の実施形態に係るシートディスペンサー１００は、図１、図２に示すように、複数枚のシートＳＴが積層されたシート積層体ＳＬを収容する本体部１０を有する。本体部１０は、天面１１、底面１２、正面１３、背面１４、側面１５および側面１６を有する直方体形状の箱体である。
【００２３】
天面１１は、上下方向（Ｚ方向）の上方に設けられている。底面１２は、上下方向（Ｚ方向）の下方に設けられて天面１１と上下方向（Ｚ方向）に対向する。正面１３は、前後方向（Ｙ方向）の前方に設けられて底面１２に連続する。背面１４は、前後方向（Ｙ方向）の後方に設けられて正面１３と前後方向（Ｙ方向）に対向し、かつ底面１２に連続する。そして、側面１５および側面１６は、上下方向（Ｚ方向）と直交しかつ前後方向（Ｙ方向）とも直交する左右方向（Ｘ方向）に対向して、天面１１、底面１２、正面１３、および背面１４とともに本体部１０内にシート積層体ＳＬを収容する空間を形成する。
【００２４】
また、本体部１０の正面１３には、取出部２０が設けられている。取出部２０は、正面１３の底面１２寄りに設けられおり、シートＳＴをシートディスペンサー１００（本体部１０）内からシートＳＴを取り出すことができる。ここで、正面１３の底面１２寄りは、正面１３の上下方向（Ｚ方向）の中央より下方側を示す（図１、図２参照）。このような正面１３の底面１２寄りに近傍に取出部２０を設けることにより、シートの取出し性の低下を防ぐことができる。
【００２５】
なお、取出部２０の寸法は、取り出されるシートＳＴの寸法に応じて、任意に定めることができる。例えば、左右方向（Ｘ方向）におけるシートＳＴの幅寸法に対して、取出部２０の長さは、好ましくは約−８〜２５ｍｍであり、より好ましくは約−５〜１０ｍｍである。また、取出部２０を正面１３の底面１２寄りに設ける観点から、底面１２からの距離は、任意であるが、例えば、取出部２０と底面１２との間隔が、好ましくは約４０〜６０ｍｍ、より好ましくは約４５〜５５ｍｍである。
【００２６】
取出部２０の形態は、特に限定されないが、例えば、図１に示すように正面１３を貫通する略矩形状の開口で構成することができる。また、取出部２０の周縁部は、図１、図２に示すように、正面１３から本体部１０の外側に向かって突出する形状にしてもよい。取出部２０の周縁部をこのような形状にすることにより、シートＳＴが引き出される方向にガイドされるため、シートＳＴの取出しが容易になる。
【００２７】
なお、シートディスペンサー１００の形状は、直方体形状に限定されず、例えば、立方体形状でもよい。また、シートディスペンサー１００の材質は、特に限定されず、例えば、ＡＢＳ、ポリスチレン、ＡＳ樹脂、アクリル樹脂、ポリプロピレン樹脂等の合成樹脂、段ボール等の紙、ステンレス等の金属を用いることができる。
【００２８】
また、シートディスペンサー１００の形態は、特に限定されないが、本体部１０の天面１１を蓋体にして天面１１から本体部１０内にシート積層体ＳＬを収納するもの、本体部１０の正面１３、背面１４、側面１５及び／または側面１６が開放する扉を設けて該扉から本体部１０内にシート積層体ＳＬを収納するもの等が挙げられる。また、シートディスペンサー１００の設置態様は、特に限定されないが、例えば、背面１４を介して壁に掛けるもの、底面１２を介して台の上に置くもの等が挙げられる。
【００２９】
シートディスペンサー１００に収容されるシートＳＴは、図２に示すように、複数枚のシートＳＴが積層されたシート積層体ＳＬで構成されている。シート積層体ＳＬは、シート積層体ＳＬの積層方向が前後方向（Ｙ方向）になるように、シートディスペンサー１００の本体部１０に収容される。すなわち、シート積層体ＳＬがシートディスペンサー１００の本体部１０に収容された状態で、複数枚のシートＳＴは、シートディスペンサー１００の前後方向（Ｙ方向）に積層された状態で配置される。
【００３０】
シート積層体ＳＬは、複数枚のシートＳＴが折り畳まれてポップアップ式に（１枚または１組ずつ）引き出せるように積層されている。なお、ポップアップ式とは、シートが１枚ずつまたは１組ずつ取り出されることを意味する。シートＳＴ（シート積層体ＳＬ）の形態は、折り畳まれてポップアップ式に引き出せるように積層されたものであれば、特に限定されないが、１組のシートが相互に折り重ねられて積層されたシート積層体が好ましく、中でもシートを１枚引き出すと次のシートの一部が引き出される形態のシート積層体がより好ましい。
【００３１】
シートＳＴ（シート積層体ＳＬ）の用途は、特に限定されず、ペーパータオル、ワイパー（ウエス）、ティシューペーパー、トイレットペーパー、キッチンペーパー等に用いることができる。また、産業用、家庭用に限定されない。
【００３２】
シートＳＴの材質は、特に限定されないが、例えば、紙、不織布または布等のシートを用いることができ、好ましくは紙シートである。なお、シートＳＴが紙シートの場合、原紙の原料がパルプを主材とする紙が用いられる。パルプ組成は、ウエスにおける公知の組成を用いることができる。例えば、パルプの配合割合を５０質量％以上、好ましくは９０質量％以上、より好ましくは１００質量％とすることができる。
【００３３】
また、シートＳＴ（紙シート）におけるパルプ組成は、例えば、ＮＢＫＰ（針葉樹クラフトパルプ）やＮＵＫＰ（針葉樹未晒しパルプ）などの針葉樹パルプと、ＬＢＫＰ（広葉樹クラフトパルプ）やＬＵＫＰ（広葉樹未晒しパルプ）などの広葉樹パルプとを適宜の比率で使用することができる。特に、針葉樹パルプを広葉樹パルプと比較してより多い組成のパルプ組成であることが好ましい。針葉樹パルプと広葉樹パルプの比は、５０：５０〜８０：２０であるのが好ましい。なお、シートＳＴ（紙シート）のパルプ組成に含まれるパルプには、古紙パルプを用いても良い。
【００３４】
シートＳＴ（紙シート）の坪量は、特に限定されないが、プライ数に応じて、紙の場合は１５〜８０ｇ／ｍ２、不織布の場合は２０〜１００ｇ／ｍ２のものが望ましい。なお、坪量は、ＪＩＳ  Ｐ  ８１２４の規定に準拠して測定される。
【００３５】
また、紙シートの厚みは、特に限定されるものではないが、例えば、ＪＩＳ  Ｐ  ８１１１（１９９８）の環境下で測定された紙厚を採用することができる。例えば、シートＳＴを構成する紙シートの紙厚は、１プライあたり、好ましくは５０〜５００μｍであり、より好ましくは６０〜３３０μｍ程度である。
【００３６】
なお、紙厚の測定方法は、試験片をＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて２プライの状態で測定する。具体的には、プランジャーと測定台の間にゴミ、チリ等がないことを確認してプランジャーを測定台の上におろし、該ダイヤルシックネスゲージのメモリを移動させてゼロ点を合わせる。次いで、プランジャーを上げて試料を試験台の上におき、プランジャーをゆっくりと下ろしたときのゲージを読み取る。このとき、プランジャーは載せるだけとする。プランジャーの端子は金属製で直径１０ｍｍの円形の平面が紙平面に対し垂直に当たるようにし、この紙厚測定時の荷重は、約７０ｇｆである。なお、紙厚は測定を１０回行って得られる平均値とする。
【００３７】
また、シートＳＴを構成する紙シートには、エンボス加工が施されていても良い。このようなエンボス加工は、公知のピンエンボス付与方法により、図示しないピンを紙シートに刺して、紙シートの一方の面上にピンエンボスを形成するものである。
【００３８】
シートＳＴのプライ数は、特に限定されないが、１プライ以上にすることができ、好ましくは２プライ（２枚重ね）である。なお、２プライ（２枚重ね）以上のシートＳＴにエンボス加工を行う場合は、紙シートを２プライ（２枚重ね）にした状態で上述のピンエンボスを付与することができる。
【００３９】
本実施形態では、図２に示すように、底面１２に傾斜部３０が設けられている。傾斜部３０は、底面１２の少なくとも一部を構成し、傾斜部３０の表面がシートディスペンサー１００の前後方向（Ｙ方向）に傾斜している。
【００４０】
ここで、底面１２の少なくとも一部とは、底面１２の一部または全部を示す。また、前後方向（Ｙ方向）に傾斜する傾斜部３０には、傾斜部３０の表面が本体部１０の正面１３から背面１４に向かって下降するように傾斜する場合と、背面から正面１３に向かって下降するように傾斜する場合とが含まれる。
【００４１】
傾斜部３０のうち、表面が本体部１０の正面１３から背面１４に向かって下降するように傾斜する傾斜部３０の形状は、特に限定されないが、例えば、図２に示すように本実施形態（第１実施形態）のシートディスペンサー１００に設けられた形状を有する（図２、図３参照）。
【００４２】
具体的には、本実施形態（第１実施形態）のシートディスペンサー１００では、図３に示すように、傾斜部３０が、傾斜面３１と支持部３２とを有する。傾斜面３１は、正面１３から背面１４に向かって下降する形状を有する。すなわち、傾斜面３１は、図２に示すように、背面１４から正面１３に向かって右肩上がりに傾斜している。また、支持部３２は、傾斜面３１を正面１３側で支持するように上下方向（Ｚ方向）に延びる形状を有する。
【００４３】
図４は、本実施形態（第２実施形態）に係るシートディスペンサーを側面から視た断面図である。図５は、本実施形態（第２実施形態）に係るシートディスペンサーの傾斜部を示す図である。傾斜部３０のうち、表面が本体部１０の背面１４から正面１３に向かって下降するように傾斜する傾斜部３０の形状は、特に限定されないが、例えば、本実施形態（第２実施形態）のシートディスペンサー１００に設けられた形状を有する（図４、図５参照）。
【００４４】
具体的には、本実施形態（第２実施形態）のシートディスペンサー１００では、図４、図５に示すように、傾斜部３０は、傾斜面３１と支持部３２とを有する。本実施形態（第２実施形態）では、傾斜面３１は、背面１４から正面１３に向かって下降する形状を有する。すなわち、傾斜面３１は、図４、図５に示すように、背面１４から正面１３に向かって右肩下がりに傾斜している。また、支持部３２は、傾斜面３１を背面１４側で支持するように上下方向（Ｚ方向）に延びる形状を有する。
【００４５】
図６は、本実施形態（第１実施形態）に係るシートディスペンサーの使用状態を示す図である。図７は、本実施形態（第２実施形態）に係るシートディスペンサーの使用状態を示す図である。ここでは、本実施形態による効果について図６、図７を参照しながら、説明する。
【００４６】
本実施形態では、上述のように、シートＳＴが本体部１０の前後方向（Ｙ方向）に積層されるようにシート積層体ＳＬがシートディスペンサー１００に収容されている。そして、傾斜部３０が、本体部１０の底面１２の少なくとも一部を構成してシートディスペンサー１００の前後方向（Ｙ方向）に傾斜するように設けられている。このような構成により、シートＳＴの取出し性に優れるシートディスペンサー１００を提供することができる。
【００４７】
例えば、硬めのシートＳＴに対しては、本体部１０の正面１３から背面１４に向かって下降するように表面が傾斜する傾斜部３０を採用することができる。この場合は、ディスペンサー内でシートＳＴの残量が少なくなっても、シート積層体ＳＬが正面１３側に倒れ、シート積層体ＳＬは傾斜部３０によって支えられる。これにより、本実施形態のシートディスペンサー１００では、シートＳＴが硬めの場合でも、ディスペンサー内にシートＳＴが落ち込むことを抑制することができる。
【００４８】
具体的には、第１実施形態において、本体部１０の正面１３から背面１４に向かって下降するように傾斜部３０の表面を傾斜させることができる。これにより、第１実施形態に係るシートディスペンサー１００は、ディスペンサー内でシートＳＴの残量が少なくなったときにディスペンサー内にシートＳＴが落ち込み易い傾向がある硬めのシートＳＴに適用することができる。
【００４９】
また、柔らかめのシートＳＴに対しては、本体部１０の背面から正面１３に向かって下降するように表面が傾斜する傾斜部３０を採用することができる。この場合は、ディスペンサー内でシートＳＴの残量が少なくなっても、シート積層体ＳＬは背面側に倒れるため、引き出されるシートＳＴが取出部２０付近でシート積層体ＳＬによって押さえ付けられることはない。これにより、本実施形態のシートディスペンサー１００では、シートＳＴが柔らかめの場合でも、数枚のシートＳＴがまとめて引き出されることを抑制することができる。
【００５０】
具体的には、第２実施形態において、本体部１０の背面から正面１３に向かって下降するように傾斜部３０の表面を傾斜させることができる。これにより、第２実施形態に係るシートディスペンサー１００は、ディスペンサー内でシートＳＴの残量が少なくなったときに数枚のシートＳＴがまとめて引き出される傾向がある柔らかめのシートＳＴに適用することができる。
【００５１】
このように、本実施形態では、ディスペンサー内にシートＳＴが落ち込むことを抑制することができる。また、本実施形態では、数枚のシートＳＴがまとめて引き出されることを抑制することができるため、シートＳＴの取出し性に優れるシートディスペンサー１００を提供することができる。したがって、シートＳＴの取出し性に優れるシートディスペンサー１００を、シートＳＴの形態や種類に応じて提供することができる。
【００５２】
なお、傾斜部３０の傾斜角度は、特に限定されないが、例えば、水平面に対して好ましくは５〜３０°、より好ましくは１０〜２５°、さらに好ましくは１６〜１８°である。傾斜部３０の傾斜角度をこのような範囲にすることにより、シートＳＴの取出し性を向上させることができる。
【００５３】
図８は、本実施形態（第３実施形態）に係るシートディスペンサーを側面から視た断面図である。なお、図８では、理解を容易にするため、シートＳＴ（シート積層体ＳＬ）の図示を省略している。第３実施形態のシートディスペンサー１００では、傾斜部３０が角度可変部４０を有する。角度可変部４０は、図８に示すように、傾斜面３１の傾斜角度を変えることができるように構成されている。
【００５４】
具体的には、角度可変部４０は、前後方向（Ｙ方向）における傾斜部３０（傾斜面３１）の中央に、傾斜部３０が回動可能に取り付けられている。なお、角度可変部４０の形態は、特に限定されないが、例えば、角度を手動で変更するものでも、自動で変更するものでもよい。なお、角度可変部４０には、変更後の傾斜面３１の角度が固定されるように、例えば、ラチェット、ダイヤル等の機構を設けるのが好ましい。
【００５５】
第３実施形態では、このように傾斜面３１の傾斜角度を変えることができる。そのため、傾斜部３０の表面（傾斜面３１）を、正面１３から背面１４に向かって下降する傾斜面３１にしたり、背面１４から正面１３に向かって下降する傾斜面３１にしたりすることができる。
【００５６】
これにより、シートＳＴが硬めの場合は、傾斜部３０の表面（傾斜面３１）が正面１３から背面１４に向かって下降するように傾斜部３０の角度を調整すればよい。また、シートＳＴが柔らかめの場合は、傾斜部３０の表面（傾斜面３１）が背面１４から正面１３に向かって下降するように傾斜面３１の角度を調整すればよい。すなわち、第３実施形態によれば、１つのシートディスペンサー１００だけで、シートＳＴの硬さに応じたシートＳＴを使用することができる。
【００５７】
また、本実施形態では、傾斜部３０をシートディスペンサー用アタッチメントとして提供してもよい（図３、図５参照）。シートディスペンサー用アタッチメントは、上述のシートディスペンサー１００に着脱可能に取り付けられる。そして、シートディスペンサー用アタッチメントは、上述の傾斜部３０を構成することができる。
【００５８】
シートディスペンサー用アタッチメントの形態は、特に限定されないが、例えば、図３に示すように、傾斜部３０（傾斜面３１および支持部３２）を構成する傾斜片で構成することができる。なお、図５に示す傾斜部３０（第２実施形態における傾斜部３０）は、図３に示すシートディスペンサー用アタッチメント（第１実施形態における傾斜部３０）の傾斜の向き反対にしただけである。すなわち、シートディスペンサー用アタッチメントが１つあれば、シートディスペンサー１００の底面１２に設けられる傾斜面３１を、正面１３から背面１４に向かって下降する傾斜面３１にしたり、背面１４から正面１３に向かって下降する傾斜面３１にしたりすることができる。
【００５９】
このような傾斜部３０を構成するシートディスペンサー用アタッチメントは、従来の底面１２が平らなシートディスペンサー１００に取り付けることができる。また、このような従来のシートディスペンサー１００に上述のシートディスペンサー用アタッチメントを着脱可能に取り付けることで、従来のシートディスペンサーをシートＳＴの形態や種類に応じて、シートＳＴの取出し性に優れるものにすることができる。
【００６０】
このように、本実施形態に係るシートディスペンサー用アタッチメントを用いることにより、上述した本実施形態のシートディスペンサー１００のような専用品を用いなくても、シートＳＴの取出し性に優れるシートディスペンサー１００を提供することができる。そのため、本実施形態に係るシートディスペンサー用アタッチメントは、シートディスペンサー１００の汎用性を高めることができる。
【実施例】
【００６１】
以下、本発明について、さらに実施例を用いて具体的に説明する。実施例、比較例の評価は、以下の試験により行った。
【００６２】
［シートディスペンサー（試験体）］
試験体として、シートディスペンサー１００を用意した。シートディスペンサー１００の寸法は、左右方向（Ｘ方向）の長さを約２３８ｍｍ、前後方向（Ｙ方向）の長さを約９０ｍｍ、上下方向（Ｚ方向）の高さを約１４０ｍｍとした。また、取出部２０の寸法は、左右方向（Ｘ方向）の長さを約１９７ｍｍ、上下方向（Ｚ方向）の幅が約２０ｍｍとした。さらに、取出部２０と天面１１との間隔は、約９０ｍｍとし、取出部２０と底面１２との間隔は、約５０ｍｍとした。
【００６３】
［シート積層体］
シートディスペンサー１００に１個のシート積層体ＳＬを収容した。シート積層体ＳＬは、２００枚のシートＳＴ（シートＳＴがダブルタイプの場合は２００組）が交互に折り畳まれてポップアップ式に（１枚または１組ずつ）引き出せるように積層されたシート積層体を用いた。また、シート積層体ＳＬは、シート積層体ＳＬ（複数枚のシートＳＴ）の積層方向がシートディスペンサー１００の前後方向（Ｙ方向）になるようにシートディスペンサー１００の本体部１０に収容した。またシート積層体ＳＬを構成するシートＳＴには、シングルタイプ(硬め)のペーパータオルとダブルタイプ（柔らかめ）のペーパータオルを用いた。シングルタイプのペーパータオルには、ペーパータオル（商品名「エコドライ」、大王製紙株式会社製、１プライ、寸法：縦約２３０ｍｍ、横２２０ｍｍ、坪量３３ｇ／ｍ２、紙厚１８１μｍ、クラーク剛度縦１０．３、横１２．３）を用いた。ダブルタイプのペーパータオルには、ペーパータオル（商品名「スマートタイプダブル」、大王製紙株式会社製、２プライ、寸法：縦約２３０ｍｍ、横２１０ｍｍ、坪量１６ｇ／ｍ２（１プライあたりの坪量）、紙厚１３９μｍ（２プライの紙厚）、クラーク剛度縦２．２７、横１．７２）を用いた。なお、坪量はＪＩＳ  Ｐ８１２４に準拠し、紙厚はＪＩＳ  Ｐ８１２１８に準拠し、クラーク剛度はＪＩＳ  Ｐ８１４３に準拠している。ここで、クラーク剛度は、数値が高いほどペーパータオルが硬めであることを示す。
【００６４】
［引き出し性］
シートディスペンサー１００の正面１３の取出部２０からシートＳＴを引き出したときの取出しやすさ（引き出し性）を評価した。引き出し性は、各実施例・比較例につき、シングルタイプのペーパータオルは２００枚を、ダブルタイプのペーパータオルは２００組を、乾いた手で１枚（１組）ずつ引き出した。評価基準は、以下のとおりである。
○：片手でストレスなく取り出せた
△：片手で取り出しづらい
×：取り出せない
【００６５】
［保持性］
シートディスペンサー１００内に収容されたペーパータオル（シートＳＴ）を最後まで１組ずつ取り出せるかを確認、評価した。保持性の確認、評価は、乾いた手で１組ずつ引き出した。評価基準は、以下のとおりである。評価は、○が良好であり、△および×は不良とした。
〇：最後にまとまって出てこない、または、１〜３組まとまって出てきた
△：最後に４〜８組まとまって出てきた
×：最後に９組以上まとまって出てきた、または、途中で３組以上まとまって出てきた。
【００６６】
［実施例１］
試験体として、本体部１０の底面１２にシートディスペンサー用アタッチメント（傾斜部３０）を配置したシートディスペンサー１００を用いた（図１〜図３参照）。傾斜部３０は、正面１３から背面１４に向かって下降するように傾斜面３１が傾斜するように配置した。傾斜部３０（傾斜面３１）の傾斜角度は、約１７°とした。また、支持部３２の上下方向（Ｚ方向）の高さを約２５ｍｍとした。傾斜面３１シート積層体ＳＬとしてシングルタイプのペーパータオルをシートディスペンサー１００の本体部１０に収容した。この試験体について、引出し性および保持性を評価した。結果を表１に示す。
【００６７】
［実施例２］
シートディスペンサー用アタッチメントとして、背面１４から正面１３に向かって下降するように傾斜面３１が傾斜する傾斜部３０を配置し、シート積層体ＳＬとしてダブルタイプのペーパータオルを収容した以外は、実施例１と同様に試験体を用意し（図１、図４、図５参照）、評価した。結果を表１に示す。
【００６８】
［比較例１］
従来の底面１２が平らなシートディスペンサー１００を用い、シートディスペンサー用アタッチメント（傾斜部３０）を配置しなかった以外は、実施例１と同様に、試験体を用意し、評価した（図９参照）。結果を表１に示す。
【００６９】
［比較例２］
従来の底面１２が平らなシートディスペンサー１００を用い、シートディスペンサー用アタッチメント（傾斜部３０）を配置しなかった以外は、実施例２と同様に、試験体を用意し、評価した（図１０参照）。結果を表１に示す。
【００７０】
【表１】
2019176976.tif 000003
【００７１】
表１より、本体部１０の底面１２にシートディスペンサー用アタッチメント（傾斜部３０）を配置したシートディスペンサー１００は、本体部１０に収容されるシート積層体ＳＬ（ペーパータオル）がシングルタイプ（硬め）の場合、およびダブルタイプ（柔らかめ）の場合のいずれも、引出し性、保持性がともに〇（良好）であった（実施例１、２）。
【００７２】
一方、本体部１０の底面１２にシートディスペンサー用アタッチメント（傾斜部３０）を配置しなかったシートディスペンサー１００は、本体部１０に収容されるシート積層体ＳＬ（ペーパータオル）がシングルタイプ（硬め）の場合は、引出し性が×（不良）であり、ダブルタイプ（柔らか目）の場合は、保持性が×（不良）であった（比較例１、２）。
【００７３】
これらの結果から、シートディスペンサーの本体部の底面に、底面の一部が前後方向に傾斜してなる傾斜部を設けることにより、シートの取出し性に優れるシートディスペンサーが得られることが判った。
【００７４】
以上、本発明の実施形態について説明したが、本発明は特定の実施形態に限定されるものではなく、特許請求の範囲に記載された発明の範囲内において、種々の変形、変更が可能である。
【符号の説明】
【００７５】
１００  シートディスペンサー
ＳＴ  シート
ＳＬ  シート積層体
１０  本体部
１１  天面
１２  底面
１３  正面
１４  背面
１５  側面
１６  側面
２０  取出部
３０  傾斜部（シートディスペンサー用アタッチメント）
３１  傾斜面
３２  支持部
４０  角度可変部
【図１】
2019176976.tif 000004
【図２】
2019176976.tif 000005
【図３】
2019176976.tif 000006
【図４】
2019176976.tif 000007
【図５】
2019176976.tif 000008
【図６】
2019176976.tif 000009
【図７】
2019176976.tif 000010
【図８】
2019176976.tif 000011
【図９】
2019176976.tif 000012
【図１０】
2019176976.tif 000013